(57)【要約】      （修正有）【課題】イベントや行事、展覧会、講演会、スポーツ観戦などの催し物に関連する情報を容易に閲覧できるとともに、コスト面を抑え生産性に優れた手旗を提供する。【解決手段】文字、記号、マーク、印章、記章又はこれらの組合せ等の手旗情報を表彰する手旗本体部１１と棒挿入部１２と握り棒部６と手旗本体部の裏側の折返し片部１３とを備え、折返し片部に手旗本体部を表彰して視認し得る誘導画像が印刷され、カメラと表示画面５１を備えた携帯端末５が誘導画像にかざされると、携帯端末のプロセッサが誘導画像の明暗情報に基づいてモデル誘導画像を特定してモデル誘導画像に対応付けられているウェブアドレスを有するサーバにアクセスすることにより手旗情報に関連する表示情報が表示画面に表示される。【選択図】図２
0003218789.tif 000002
【実用新案登録請求の範囲】
【請求項１】
文字、記号、マーク、印章、記章又はこれらの組合せ等の手旗情報を表彰する手旗本体部と棒挿入部と握り棒部と前記手旗本体部の裏側の折返し片部とを備え、該折返し片部に前記手旗本体部を表彰して視認し得る誘導画像が印刷され、カメラと表示画面を備えた携帯端末が前記誘導画像にかざされると、前記携帯端末のプロセッサが前記誘導画像の明暗情報に基づいてモデル誘導画像を特定して該モデル誘導画像に対応付けられているウェブアドレスを有するサーバにアクセスすることにより前記手旗情報に関連する表示情報が前記表示画面に表示されることを特徴とする手旗。
【請求項２】
請求項１に記載の手旗において、前記表示情報は、静止画像、動画、音声付動画、音声、音楽、割引又は景品贈与用の優待情報、ウェブページを表すウェブアドレス、又はこれらの組合せ等を表示することを特徴とする手旗。
【請求項３】
請求項１又は２の何れか１項に記載の手旗において、前記手旗本体部の手旗情報は国旗、国章又は国名を表彰することを特徴とする手旗。
【請求項４】
請求項１又は２の何れか１項に記載の手旗において、前記手旗本体部の手旗情報は都道府県章、都道府県旗、都道府県名、市町村章、市町村旗又は市町村名を表彰することを特徴とする手旗。
【請求項５】
請求項１又は２の何れか１項に記載の手旗において、前記手旗本体部の手旗情報は会社の社章、社旗又は社名を表彰することを特徴とする手旗。
【請求項６】
請求項１又は２の何れか１項に記載の手旗において、前記手旗本体部の手旗情報は学校の校章、校旗又は学校名を表彰することを特徴とする手旗。
【請求項７】
文字、記号、マーク、印章、記章又はこれらの組合せ等の手旗情報を表彰する手旗本体部と棒挿入部と握り棒部とを備え、前記手旗本体部の一部に前記手旗本体部を表彰して視認し得る誘導画像が印刷され、カメラと表示画面を備えた携帯端末が前記誘導画像にかざされると、前記携帯端末のプロセッサが前記誘導画像の明暗情報に基づいてモデル誘導画像を特定して該モデル誘導画像に対応付けられているウェブアドレスを有するサーバにアクセスすることにより前記手旗情報に関連する表示情報が前記表示画面に表示されることを特徴とする手旗。
【請求項８】
請求項７に記載の手旗において、前記表示情報は、静止画像、動画、音声付動画、音声、音楽、割引又は景品贈与用の優待情報、ウェブページを表すウェブアドレス、又はこれらの組合せ等を表示することを特徴とする手旗。 
【請求項９】
請求項１，２，７又は８の何れか１項に記載の手旗において、前記手旗本体部の手旗情報はスポーツ団体の団体章、団体旗又はスポーツ団体名を表彰することを特徴とする手旗。
【請求項１０】
請求項１，２，７又は８の何れか１項に記載の手旗において、前記手旗本体部の手旗情報はアーティスト若しくはミュージシャンを表す氏名、名称、マーク、又はコンサート旗を表彰することを特徴とする手旗。
【請求項１１】
請求項１，２，７又は８の何れか１項に記載の手旗において、前記手旗本体部の手旗情報は祭り、イベント、催し物等の行事を表す行事名称、行事を表すマーク、行事旗などの行事情報を表彰することを特徴とする手旗。
【考案の詳細な説明】
【技術分野】
【０００１】
本考案は、国、地域、会社、学校、スポーツ団体等のウェブ情報にアクセスするのに便利な、誘導画像に対応付けられた情報を表示する手旗に関する。
【背景技術】
【０００２】
イベントや行事、展覧会、講演会、スポーツ観戦といった催し物において、国旗や社旗、スポーツ団体の団旗などの手旗がその各行事に多用されている。通常、手旗の使用者は、行事中に手旗を手に持って振ることや、携帯することにより、手旗に記載されたマークや記章などを表彰する役目を担うものとして用いられることが一般的であった。
【０００３】
一方で、上述した催し物等においては、その行事に関連した内容をパンフレット等において表示されることが一般的であるが、そのパンフレット等は紙媒体のものであることが多い。直接手旗に、関連した内容を表示させることも可能ではあるが、手旗に記された記章等が認識しづらくなってしまう課題があった。
【先行技術文献】
【特許文献】
【０００４】
【特許文献１】特開２０１７−１６１６２０号公報
【考案の概要】
【考案が解決しようとする課題】
【０００５】
さらに、特許文献１のように、手旗の表示部分に電子ペーパーを用いて記章とともに行事に関連した内容を表示させることも可能ではあるが、多大なコストを必要とし、手旗の単価が高くなってしまうという課題があった。
【０００６】
そこで、本考案の目的、すなわち解決しようとする技術的課題は、イベントや行事、展覧会、講演会、スポーツ観戦といった催し物に関連する情報を容易に閲覧することができるとともに、コスト面を抑え生産性に優れた手旗を提供することにある。
【課題を解決するための手段】
【０００７】
そこで、考案者は上記課題を解決すべく鋭意，研究を重ねた結果、請求項１の考案を、文字、記号、マーク、印章、記章又はこれらの組合せ等の手旗情報を表彰する手旗本体部と棒挿入部と握り棒部と前記手旗本体部の裏側の折返し片部とを備え、該折返し片部に前記手旗本体部を表彰して視認し得る誘導画像が印刷され、カメラと表示画面を備えた携帯端末が前記誘導画像にかざされると、前記携帯端末のプロセッサが前記誘導画像の明暗情報に基づいてモデル誘導画像を特定して該モデル誘導画像に対応付けられているウェブアドレスを有するサーバにアクセスすることにより前記手旗情報に関連する表示情報が前記表示画面に表示されることを特徴とする手旗としたことにより、上記課題を解決した。
【０００８】
請求項２の考案を、請求項１に記載の手旗において、前記表示情報は、静止画像、動画、音声付動画、音声、音楽、割引又は景品贈与用の優待情報、ウェブページを表すウェブアドレス、又はこれらの組合せ等を表示することを特徴とする手旗としたことにより、上記課題を解決した。
【０００９】
請求項３の考案を、請求項１又は２の何れか１項に記載の手旗において、前記手旗本体部の手旗情報は国旗、国章又は国名を表彰することを特徴とする手旗としたことにより、上記課題を解決した。
【００１０】
請求項４の考案を、請求項１又は２の何れか１項に記載の手旗において、前記手旗本体部の手旗情報は都道府県章、都道府県旗、都道府県名、市町村章、市町村旗又は市町村名を表彰することを特徴とする手旗としたことにより、上記課題を解決した。
【００１１】
請求項５の考案を、請求項１又は２の何れか１項に記載の手旗において、前記手旗本体部の手旗情報は会社の社章、社旗又は社名を表彰することを特徴とする手旗としたことにより、上記課題を解決した。
【００１２】
請求項６の考案を、請求項１又は２の何れか１項に記載の手旗において、前記手旗本体部の手旗情報は学校の校章、校旗又は学校名を表彰することを特徴とする手旗としたことにより、上記課題を解決した。
【００１３】
また、請求項７の考案を、文字、記号、マーク、印章、記章又はこれらの組合せ等の手旗情報を表彰する手旗本体部と棒挿入部と握り棒部とを備え、前記手旗本体部の一部に前記手旗本体部を表彰して視認し得る誘導画像が印刷され、カメラと表示画面を備えた携帯端末が前記誘導画像にかざされると、前記携帯端末のプロセッサが前記誘導画像の明暗情報に基づいてモデル誘導画像を特定して該モデル誘導画像に対応付けられているウェブアドレスを有するサーバにアクセスすることにより前記手旗情報に関連する表示情報が前記表示画面に表示されることを特徴とする手旗としたことにより、上記課題を解決した。
【００１４】
請求項８の考案を、請求項７に記載の手旗において、前記表示情報は、静止画像、動画、音声付動画、音声、音楽、割引又は景品贈与用の優待情報、ウェブページを表すウェブアドレス、又はこれらの組合せ等を表示することを特徴とする手旗としたことにより上記課題を解決した。
【００１５】
請求項９の考案を、請求項１，２，７又は８の何れか１項に記載の手旗において、前記手旗本体部の手旗情報はスポーツ団体の団体章、団体旗又はスポーツ団体名を表彰することを特徴とする手旗としたことにより、上記課題を解決した。
【００１６】
請求項１０の考案を、請求項１，２，７又は８の何れか１項に記載の手旗において、前記手旗本体部の手旗情報はアーティスト若しくはミュージシャンを表す氏名、名称、マーク、又はコンサート旗を表彰することを特徴とする手旗としたことにより、上記課題を解決した。
【００１７】
請求項１１の考案を、請求項１，２，７又は８の何れか１項に記載の手旗において、前記手旗本体部の手旗情報は祭り、イベント、催し物等の行事を表す行事名称、行事を表すマーク、行事旗などの行事情報を表彰することを特徴とする手旗としたことにより、上記課題を解決した。
【考案の効果】
【００１８】
請求項１に開示の構成は、誘導画像を用いることで、記章等の視認性の良さが維持され、容易に催し物等に関する情報を提供する利益がある。また、請求項２に開示の構成は、様々な手旗情報に関連する表示情報を提供することにより、より多くの催しもの等に関する情報を使用者に提供することが可能となる。
【００１９】
請求項３に開示の構成は、国旗等を用いることにより、その国に関連する情報を供給するサーバに、携帯端末の使用者を容易に導くことができる効果がある。請求項４に開示の構成は、都道府県章、市町村章等を用いることにより、その都道府県や市町村に関連する情報を供給するサーバに、携帯端末の使用者を容易に導くことができる効果がある。
【００２０】
請求項５に開示の構成は、社旗、社章等を用いることにより、その会社に関連する情報を供給するサーバに、携帯端末の使用者を容易に導くことができる効果がある。請求項６に開示の構成は、校章、校旗等を用いることにより、その学校に関連する情報を供給するサーバに、携帯端末の使用者を容易に導くことができる効果がある。
【００２１】
請求項７に開示の構成は、より簡単な構成であるとともに誘導画像を用いることで、記章等の視認性の良さが維持され、容易に催し物等に関する情報を提供する利益がある。また、請求項８に開示の構成は、様々な手旗情報に関連する表示情報を提供することにより、より多くの催しもの等に関する情報を使用者に提供できる。
【００２２】
請求項９に開示の構成は、スポーツ団体の団旗等を用いることにより、そのスポーツ団体に関連する情報を供給するサーバに、携帯端末の使用者を容易に導くことができる効果がある。
【００２３】
請求項１０に開示の構成は、アーティスト、ミュージシャンの氏名、名称等を用いることにより、そのアーティスト等に関連する情報を供給するサーバに、携帯端末の使用者を容易に導くことができる効果がある。請求項１１に開示の構成は、祭り、イベント、催し物等の名称等を用いることにより、その催し物等に関連する情報を供給するサーバに、携帯端末の使用者を容易に導くことができる効果がある。
【図面の簡単な説明】
【００２４】
【図１】は本考案の実施形態１に係る手旗の正面図及び棒挿入部の先端部の拡大図である。
【図２】は本考案の実施形態１に係る手旗において誘導画像を取得状態の斜視図である。
【図３】（Ａ）は本考案の実施形態に係る手旗に設けられた誘導画像とウェブアドレスの関係を示す図、（Ｂ)及び（Ｃ）は同手旗にかざした携帯端末がする処理のフロー図である。
【図４】（Ａ）は手旗Ｐ乃至手旗Ｓに印刷された誘導画像を示す図、（Ｂ）は同手旗とこれらに印刷された誘導画像で誘導されるウェブアドレスに対応する動画を格納するサーバを示す図である。
【図５】（Ａ）手旗本体部の手旗情報に地域の行事内容が表された手旗の正面図、（Ｂ）手旗本体部の手旗情報にアーティストが開催するコンサートに使用される図柄が表された手旗の正面図である。
【図６】（Ａ）手旗本体部の手旗情報に野球チームのロゴマークが表された手旗の正面図、（Ｂ）手旗本体部の手旗情報にサッカーチームのロゴマークが表された手旗の正面図である。
【考案を実施するための形態】
【００２５】
以下、本考案の実施形態について図面に基づいて説明すると、図１乃至図６は本考案の実施形態１及び実施形態２が記載されている。これらの実施形態において、主な構成は、図１及び図５に示すように、手旗本体部１１と棒挿入部１２及び握り棒部６等を備えたものである。
【００２６】
図１に基づいて、本考案の実施形態１に係る手旗の説明をする。実施形態１の手旗は、手旗本体部１１と棒挿入部１２と折返し片部１３及び握り棒部６とで構成されている。手旗本体部１１には手旗情報を表す国旗が記されている。また、手旗折返し片部１３には、誘導画像２Ａが印刷されている。尚、棒挿入部１２には、手持ちが可能となるよう握り棒部６が挿入されている。
【００２７】
前記手旗本体部１１及び棒挿入部１２及び手旗折返し片部１３は、同素材の生地から形成されており、長方形の生地から上述の構成部材を形成していく。具体的には、生地の長手方向の端部を手旗本体部１１とし、他方の端部を、棒挿入部１３に握り棒部６が挿入可能となるように断面が円形又は楕円形となるように縫いつけて形成する。ここで、図１（拡大図）のように、手旗折返し片部１２が形成されるよう、構成している。
【００２８】
本実施形態における誘導画像を利用した情報表示方法を説明するため、図４に示すように、４つの手旗を基に説明する。４つの手旗には手旗Ｐとして日本国旗、手旗Ｑとしてアメリカ国旗、手旗Ｒとしてドイツ国旗、手旗Ｓとしてフランスがそれぞれ記載されている。手旗Ｐ乃至手旗Ｓには、それぞれ誘導画像２Ａ，２Ｂ，２Ｃ，２Ｄが記載されている。
【００２９】
各誘導画像は、図４（Ａ）に示すように、それぞれ国旗及び国名が示されている。誘導画像２Ａ乃至２Ｄには、対応するモデル誘導画像２Ａ´乃至２Ｄ´が存在する。更に、モデル誘導画像２Ａ´乃至２Ｄ´に関連する動画像ファイル３Ａ乃至３Ｄ存在し、サーバ４に格納されている。該サーバ４に格納されている前記動画像ファイル３Ａ乃至３Ｄには、それぞれ、固有のウェブアドレスが割り当てられている。ウェブアドレスとして、たとえば、ユニフォーム・リソース・ロケーター（ＵＲＬ）がある。
【００３０】
つまり、インターネット通信をすることができる端末で該当するウェブアドレスを入力すれば、前記動画像ファイル３Ａ乃至３Ｄにアクセスして閲覧することができる。これらの動画ファイルには、各手旗の手旗本体部に表された国に関連する情報、例えば、人口、国の特色、国歌、特産物や名所を紹介するものである。
【００３１】
図３（Ａ）に示すように、モデル誘導画像２Ａ´乃至２Ｄ´にはそれぞれ、関連する動画像ファイルにアクセスすることができるＵＲＬが割り当てられている。したがって、以下、図３（Ｂ）及び（Ｃ）に基づいて説明するように、モデル誘導画像２Ａ´乃至２Ｄ´のいずれか１つを特定すれば、これに関連するＵＲＬも特定され、このＵＲＬに該当する動画ファイルにアクセスして閲覧することができる。
【００３２】
まず、図３（Ｂ）に示す処理フローに基づいて、カメラ付携帯端末５の処理フローを説明する。カメラ付携帯端末５は、後記する照合を行うために、予め、誘導画像２Ａ乃至２Ｄの各画像と同じ表示内容であるモデル誘導画像２Ａ´乃至２Ｄ´がその内部メモリ等に格納している。
【００３３】
はじめに、図２に示すように、カメラ付携帯端末５の使用者が、手旗Ｐ乃至手旗Ｓのいずれかの前記手旗折返し片部の中の誘導画像２Ａ乃至２Ｄに前記カメラ付携帯端末５のカメラをかざす。次に、いずれか誘導画像を含む画像を、カメラ付携帯端末５に取得する（Ｓ１）。
【００３４】
該カメラ付携帯端末５内では、取得された画像が前記モデル誘導画像２Ａ´乃至２Ｄ´と照合され、その取得画像が前記モデル誘導画像２Ａ´乃至２Ｄ´のいずれかの画像であるかが確定される。この処理を照合と称することとする。この処理は「モデル誘導画像と取得画像を照合」Ｓ２ｔである。
【００３５】
照合によって確定されたモデル誘導画像に関連しているＵＲＬにアクセスする「照合された、モデル誘導画像に関連付けられたＵＲＬにアクセス」（Ｓ３）。この処理により、前記使用者は、当該ＵＲＬの存在を意識することなく、このＵＲＬで指定される動画像ファイルにアクセスすることができる。この結果、アクセスされた動画像は、カメラ付携帯端末５の表示画面５１に表示される（Ｓ４）。
【００３６】
以上の処理をカメラ付携帯端末５で行うには、図３（Ｂ）に示す処理を行うプログラムを、カメラ付携帯端末５にインストールしておく必要がある。この図３（Ｂ）に示す処理を行うプログラムを以後、閲覧用プログラムという。この閲覧用プログラムには、前記誘導画像２Ａ´，２Ｂ´，２Ｃ´，２Ｄ´のモデル誘導画像が含まれている。
【００３７】
具体的には、これらのモデル誘導画像の２次元濃淡パターンが情報として含まれている。更に、これらのモデル誘導画像に関連する動画ファイルにアクセスするためのＵＲＬも、それぞれ、関連付けられて前記閲覧用プログラムに含まれている。例えば、図４（Ａ）は、前記閲覧用プログラムに含まれている濃淡パターン情報の例である。
【００３８】
前記閲覧用プログラムは、カメラ付き携帯端末５のプロセッサに図３（Ｂ）の処理を行わせることは既に説明した。前記プロセッサは処理（Ｓ３ｔ）において、カメラ付き携帯端末５で取得した画像を解析して、画像中に、前記モデル誘導画像の特徴を検出すると、これを前記モデル誘導画像と見做して次の処理に進む。
【００３９】
前記取得した画像の２次元濃淡パターンと、あらかじめ登録されている、図４（Ａ）に示す濃淡パターン情報と比較をして、選択する画像を決定する。画像間の類似度の大小は既存のパターンマッチング技術によって達成される。パターンマッチングは取得した画像と予め登録されている画像の双方を二値化した後に比較してもよいが、濃淡情報のまま、相関演算によって、類似度の対象を決定してもよい。
【００４０】
選択された登録画像（モデル誘導画像）には、前述の通り、関連する動画ファイルにアクセスするためのＵＲＬが決められている。そこで、前記プロセッサは選択された登録画像に予め関連付けられているＵＲＬにアクセスする。その結果、前記選択された登録画像に関する動画ファイルが再生され、表示画面５１に表示される。
【００４１】
以上の構成により、カメラ付き携帯端末５の使用者は、図４（Ｂ）に示すように、本考案の実施形態に係る手旗Ｐ乃至手旗Ｓに、カメラ付き携帯端末５をかざすだけで、前記モデル誘導動画に関連する動画像３Ａ乃至３Ｄを、表示画面５１に表示させることができる。そして、動画像３Ａ乃至３Ｄがサーバ４に保存されていることは前述の通りである。
【００４２】
先の説明は、前記閲覧用プログラムがカメラ付き携帯端末５に既にインストールされていることを前提としていた。しかし、前記閲覧用プログラムが、例えばサーバ４に保存されていて、他のカメラ付き携帯端末にダウンロードすることができれば、前記他のカメラ付き携帯端末によっても、カメラ付き携帯端末５同様に、再生動画を表示画面に表示することができる。
【００４３】
サーバ４に保存された前記閲覧用プログラムにアクセスするためのＵＲＬは、例えば、２次元バーコードとして、折返し片部１３の隅などに印刷しておけばよい。前記他のカメラ付き携帯端末の使用者は、前記２次元バーコードに基づいて、サーバ４に保存された前記閲覧用プログラムにアクセスし、これを前記他のカメラ付き携帯端末にインストールすることができる。
【００４４】
ここまでの説明では、カメラ付携帯端末５のメモリ内部に、モデル誘導画像と照合プログラムが格納され、該カメラ付携帯端末５のプロセッサによって、処理（Ｓ２ｔ）、すなわち、モデル誘導画像と取得画像の照合が行われていた。
【００４５】
一方、図３（Ｃ）の処理フローに基づいて説明する方式では、カメラ付携帯端末５は取得画像をサーバ４に送り、該サーバ４にて、モデル誘導画像と取得画像の照合が行われる。これは処理（Ｓ２ｓ）である。
【００４６】
まず、カメラ付携帯端末５の使用者が前記手旗Ｐ乃至手旗Ｓの中の誘導画像２Ａ乃至２Ｄのいずれかに該カメラ付携帯端末５のカメラをかざしてその誘導画像を含む画像を、カメラ付携帯端末５に取得する（Ｓ１）。これは図３（Ｂ）の処理フローと同様である。つぎに、取得画像をサーバ４に送信する（Ｓ５）。そうすると、サーバ４では、その取得画像を受信する（Ｓ６）。
【００４７】
次いで、サーバ４にて、モデル誘導画像と取得画像が照合される（Ｓ２ｓ）。照合により確定したモデル誘導画像に関連付けられたＵＲＬが特定される（Ｓ７）。更に、サーバは、カメラ付携帯端末５に対して、その特定されたＵＲＬにアクセスする指示を送る（Ｓ８）。以上が、サーバ４における処理である。
【００４８】
その後、カメラ付携帯端末５にて、サーバ４が指定した動画ファイルにアクセスする（Ｓ３ｓ）。アクセスにより再生された動画像は表示画面５１に表示される（Ｓ４）。以上のカメラ付携帯端末５とサーバ４の相互処理によって、各モデル誘導画像に関連した動画像がカメラ付携帯端末５の表示画面５１に表示される。以上の構成により、閲覧者が容易に、手旗本体部１１に表された情報（本実施形態では国）に関連する情報提供ウェブサイトに誘導できる手旗を提供することができる。
【００４９】
次に図５及び図６に基づいて、本考案の実施形態２に係る手旗の説明をする。実施形態２の手旗は、手旗本体部１１と棒挿入部１２と握り棒部６とで構成されている[図５（Ｂ）及び図６（Ｂ）参照]。図５（Ｂ）に示すように手旗本体部１１の全体には手旗情報を表すコンサートに使用されるロゴマークが記されている。また、手旗本体部１１の正面から見て右下には、誘導画像２Ｅが印刷されている。尚、棒挿入部１２には、手持ちが可能となるよう握り棒部６が挿入されている。
【００５０】
本実施形態における誘導画像を利用した情報表示方法は、上述した実施形態１においての誘導画像を利用した情報表示方法と同じである。すなわち、誘導画像２Ｅには関連する動画像ファイルにアクセスすることができるＵＲＬが割り当てられ、このＵＲＬに該当する動画ファイルにアクセスして閲覧することができる。
【００５１】
誘導画像２Ｅには、関連する動画像ファイル３Ｅが存在し、サーバ４Ｂに格納されている。該サーバ４Ｂに格納されている前記動画像ファイル３Ｅには、それぞれ、固有のウェブアドレスが割り当てられている。閲覧者は、本実施形態の手旗に、カメラ付き携帯端末５をかざし、前記手旗本体部に表されたアーティスト等に関連する動画像３Ｅを、表示画面５１に表示させることができる。以上の構成により、簡単な構成による手旗を利用して、閲覧者が容易に、手旗本体部１１に表された情報に関連する情報提供ウェブサイトに誘導できる手旗を提供することができる。
【００５２】
上述した、実施形態１及び実施形態２において手旗本体部に表された手旗情報はこれらに限られるものではなく、国旗、国章、国名、都道府県章、都道府県旗、都道府県名、市町村章、市町村旗、市町村名、会社の社章、社旗、社名、学校の校章、校旗、学校名、スポーツ団体の団体章、団体旗、スポーツ団体名、アーティスト若しくはミュージシャンを表す氏名、名称、マーク、コンサート旗、祭り、イベント、催し物等の行事を表す行事名称、行事を表すマーク、行事旗といった団体や行事を表すものであればよい。
【００５３】
実施形態１及び実施形態２においての誘導画像は、図柄及び文字からなる誘導画像であるが、誘導画像として認識し得る形態を得られるならば、図柄のみや文字のみでの誘導画像であっても良い。さらに、それらの誘導画像は、それぞれの実施形態で示されているサイズ以外のサイズであっても、上述のように誘導画像として認識しうるものであれば可能とされる。
【００５４】
また、誘導画像によってカメラ付携帯端末５の表示画面５１に表示される手旗情報に関連する表示情報も動画像に限られるものではない。例えば、静止画像、動画、音声付動画、音声、音楽、割引又は景品贈与用の優待情報、ウェブページを表すウェブアドレスなどを表示することによって、手旗本体部に記載した団体や行事等に関連した情報を提供することも可能である。
【００５５】
実施形態１及び実施形態２において、握り棒部６以外の構成部材（手旗本体部等）の素材は、ポンジ（ポンヂ）の生地を使用しており、安価であるため生産性、コスト面共に優れている。尚、ポンジ以外にもトロピカル、スェード、トロマット等の生地にすることも可能である。また、握り棒部６は、プラスチック製、鉄製、木製、紙製等によって構成され、特定の素材に限られるものではない。
【符号の説明】
【００５６】
１１…手旗本体部、１２…棒挿入部、１３…折返し片部１３、
２Ａ，２Ｂ，２Ｃ，２Ｄ，２Ｅ…誘導画像、
３Ａ，３Ｂ，３Ｃ，３Ｄ，３Ｅ…動画像ファイル、４，４Ｂ…サーバ、
５…カメラ付き携帯端末、５１…表示画面、６…握り棒部。
【図１】
0003218789.tif 000003
【図２】
0003218789.tif 000004
【図３】
0003218789.tif 000005
【図４】
0003218789.tif 000006
【図５】
0003218789.tif 000007
【図６】
0003218789.tif 000008